Podtech/llm-jp-corpus-v4-ja_patent huggingface dataset:
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
１週間以内にＳ１Ｐ受容体モジュレーターまたはアゴニスト血液濃度の定常状態に到達する方法で投与する、活性成分としてＳ１Ｐ受容体モジュレーターまたはアゴニストを含む薬剤。
【請求項２】
１週間以内にＳ１Ｐ受容体モジュレーターまたはアゴニスト血液濃度の定常状態に到達し、そしてその後処置を標準１日用量よりも低い用量で続ける方法で投与する、活性成分としてＳ１Ｐ受容体モジュレーターまたはアゴニストを含む薬剤。
【請求項３】
処置の最初の３から６日間に該Ｓ１Ｐ受容体モジュレーターまたはアゴニストの用量を該Ｓ１Ｐ受容体アゴニストの標準１日用量の３から２１倍まで段階的に増加させる、請求項１または２に記載の薬剤。
【請求項４】
該用量が０．１−２０ｍｇである、請求項１から３のいずれかに記載の薬剤。
【請求項５】
該用量が０．１−０．５ｍｇである、請求項１から４のいずれかに記載の薬剤。
【請求項６】
多発性硬化症の処置用の、請求項１から５のいずれかに記載の薬剤。
【請求項７】
Ｓ１Ｐ受容体モジュレーターまたはアゴニストが、式Ｘ
【化１】
2008521827.tif 000001
［式中、ＺはＨ、Ｃ１−６アルキル、Ｃ２−６アルケニル、Ｃ２−６アルキニル、フェニル、ＯＨにより置換されているフェニル、ハロゲン、Ｃ３−８シクロアルキル、フェニルおよびＯＨにより置換されているフェニルからなる群から選択される１から３個の置換基により置換されているＣ１−６アルキル、またはＣＨ２−Ｒ４ｚ｛Ｒ４ｚはＯＨ、アシルオキシまたは式（ａ）
【化２】
2008521827.tif 000002
（式中、Ｚ１は直接結合またはＯ、好ましくはＯであり；
Ｒ５ｚおよびＲ６ｚはそれぞれ、独立して、Ｈ、または所望により１、２または３個のハロゲン原子により置換されているＣ１−４アルキルである。）
の残基である。｝であり
Ｒ１ｚはＯＨ、アシルオキシまたは式（ａ）の残基であり；そしてＲ２ｚおよびＲ３ｚはそれぞれ、独立して、Ｈ、Ｃ１−４アルキルまたはアシルである。］の基を含む、請求項１から６のいずれかに記載の薬剤。
【請求項８】
Ｓ１Ｐ受容体モジュレーターまたはアゴニストが遊離形または薬学的に許容される塩形の２−アミノ−２−［２−（４−オクチルフェニル）エチル］プロパン−１，３−ジオール、２−アミノ−２−［４−（３−ベンジルオキシフェノキシ）−２−クロロフェニル］エチル−１，３−プロパン−ジオール、２−アミノ−２−［４−（ベンジルオキシフェニルチオ）−２−クロロフェニル］エチル−１，３−プロパン−ジオールまたは１−｛４−［１−（４−シクロヘキシル−３−トリフルオロメチル−ベンジルオキシイミノ）−エチル］−２−エチル−ベンジル｝−アゼチジン−３−カルボン酸である、請求項７に記載の薬剤。
【請求項９】
Ｓ１Ｐ受容体モジュレーターまたはアゴニストの１日用量がそれぞれＳ１Ｐ受容体モジュレーターまたはアゴニストの最も高い１回分の用量の１／４；１／２；および３／４；ならびにＳ１Ｐ受容体モジュレーターまたはアゴニストの維持量の４倍である、様々な１日用量のＳ１Ｐ受容体モジュレーターまたはアゴニストの薬剤の１日単位、および標準１日用量のＳ１Ｐ受容体モジュレーターまたはアゴニストの単位、または標準１日用量よりも低い１日用量でのその後の処置のための単位を含むキット。
【請求項１０】
Ｓ１Ｐ受容体モジュレーターまたはアゴニストが、式Ｘ
【化３】
2008521827.tif 000003
［式中、ＺはＨ、Ｃ１−６アルキル、Ｃ２−６アルケニル、Ｃ２−６アルキニル、フェニル、ＯＨにより置換されているフェニル、ハロゲン、Ｃ３−８シクロアルキル、フェニルおよびＯＨにより置換されているフェニルからなる群から選択される１から３個の置換基により置換されているＣ１−６アルキル、またはＣＨ２−Ｒ４ｚ｛Ｒ４ｚはＯＨ、アシルオキシまたは式（ａ）
【化４】
2008521827.tif 000004
（式中、Ｚ１は直接結合またはＯ、好ましくはＯであり；
Ｒ５ｚおよびＲ６ｚはそれぞれ、独立して、Ｈ、または所望により１、２または３個のハロゲン原子により置換されているＣ１−４アルキルである。）
の残基である。｝であり
Ｒ１ｚはＯＨ、アシルオキシまたは式（ａ）の残基であり；そしてＲ２ｚおよびＲ３ｚはそれぞれ、独立して、Ｈ、Ｃ１−４アルキルまたはアシルである。］の基を含む、請求項９に記載のキット。
【請求項１１】
Ｓ１Ｐ受容体モジュレーターまたはアゴニストが遊離形または薬学的に許容される塩形の２−アミノ−２−［２−（４−オクチルフェニル）エチル］プロパン−１，３−ジオール、２−アミノ−２−［４−（３−ベンジルオキシフェノキシ）−２−クロロフェニル］エチル−１，３−プロパン−ジオール、２−アミノ−２−［４−（ベンジルオキシフェニルチオ）−２−クロロフェニル］エチル−１，３−プロパン−ジオールまたは１−｛４−［１−（４−シクロヘキシル−３−トリフルオロメチル−ベンジルオキシイミノ）−エチル］−２−エチル−ベンジル｝−アゼチジン−３−カルボン酸である、請求項１０に記載のキット。
【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
患者への投与のために好適な製剤の製造法であって、以下のステップ：
少なくとも１つのリン脂質を提供し；
少なくとも１つの界面活性剤を提供し；
少なくとも１つの生物活性剤を提供し；
少なくとも１つの界面活性剤、少なくとも１つの生物活性剤、及び少なくとも１つのリン脂質を、非-水性溶媒に曝露し；
当該非-水性溶媒を除き、それによって粉末を製造し；並びに
当該生物活性剤を水性溶媒に曝露することなく、１以上のコーティングにより当該粉末を被覆し、それによって被覆粒子を製造し、ここで、当該１以上のコーティングは、当該粉末の少なくとも一部分と接触し、それによって、患者への投与のために好適な製剤を製造する、
ことを含む、前記方法。
【請求項２】
前記被覆粒子を、患者への投与のために好適な投薬形態に製造することを更に含む、請求項１記載の方法。
【請求項３】
前記１以上の生物活性剤が、溶解するための、30超重量部の水性溶媒／１重量部の溶質を必要とする、請求項１記載の方法。
【請求項４】
前記１以上の生物活性剤が、水不溶性である、請求項１記載の方法。
【請求項５】
前記１以上の生物活性剤が、低水溶性である、請求項１記載の方法。
【請求項６】
前記非-水性溶媒が蒸発により少なくとも一部分、除かれる、請求項１〜５のいずれか１項記載の方法。
【請求項７】
前記非-水性溶媒が、蒸発により、実質的に又は完全に除かれる、請求項１〜６のいずれか１項記載の方法。
【請求項８】
前記１以上の界面活性剤が、ポリソルベート、胆汁酸塩及びアルキルグリコシドからなる群より選ばれる、請求項１〜７のいずれか1項記載の方法。
【請求項９】
前記界面活性剤、生物活性剤及びリン脂質の一部分が、非-水性溶媒に同時に曝露される、請求項１〜８のいずれか1項記載の方法。
【請求項１０】
前記１以上のコーティングが、酸に不安定なコーティングを含む、請求項１〜９のいずれか1項記載の方法。
【請求項１１】
前記１以上のコーティングが、腸溶性コーティングを含む、請求項１〜１０のいずれか1項記載の方法。
【請求項１２】
前記１以上のコーティングが、非-腸溶性コーティングを含む、請求項１〜１１のいずれか1項記載の方法。
【請求項１３】
前記１以上のコーティングが、セルロース-系剤、ポピドン及びポリエチレンからなる群より選ばれる材料である、請求項１〜１２のいずれか1項記載の方法。
【請求項１４】
前記セルロース-系剤が、メチルセルロース、エチルセルロース、ヒドロキシエチルセルロース、メチルヒドロキシエチルセルロース、ヒドロキシプロピルセルロース、ヒドロキシプロピルメチルセルロース及びカルボキシメチルセルロースナトリウムからなる群より選ばれ、請求項１３記載の方法。
【請求項１５】
前記投薬形態が、懸濁液、錠剤及びカプセル剤からなる群より選ばれる、請求項１〜１４のいずれか1項記載の方法。
【請求項１６】
前記１以上のコーティングが、経口的、口内、舌下、鼻腔内、局所的、経皮的、眼科的、膣内、直腸的、膀胱腔内、肺、動脈内、静脈内、皮内、筋肉内、皮下的、腹腔内、鞘内及び眼内からなる群より選ばれる様々な経路による投与に適合している、請求項１〜１５のいずれか１項記載の方法。
【請求項１７】
前記生物活性剤が、テストステロンである、請求項１〜１６のいずれか1項記載の方法。
【請求項１８】
前記生物活性剤が、ファモチジンである、請求項１〜１７のいずれか1項記載の方法。
【請求項１９】
前記生物活性剤が、ハロファントリンである、請求項１〜１８のいずれか1項記載の方法。
【請求項２０】
前記生物活性剤が、グリブリドである、請求項１〜１９のいずれか1項記載の方法。
【請求項２１】
前記生物活性剤が、時間-放出型剤を含む、請求項１〜２０のいずれか１項記載の方法。
【請求項２２】
前記コーティングが、時間依存性方式で生物活性剤の制御された放出を可能にする、請求項１〜２１のいずれか１項記載の方法。
【請求項２３】
前記リン脂質が、ホスファチジルリン脂質を含む、請求項１〜２２のいずれか１項記載の方法。
【請求項２４】
前記リン脂質が、ジステアロイル ホスファチジルコリン、ジパルミトイル ホスファチジルコリン、ジミリストイル ホスファチジルコリン、卵PC、大豆PC、DMPG、DMPA、DPPG、DPPA、DSPG、DSPA、ホスファチジルセリン及びスフィンゴミエリンからなる群より選ばれる、請求項１〜２３のいずれか１項記載の方法。
【請求項２５】
可塑剤の添加を更に含む、請求項１〜２４のいずれか１項記載の方法。
【請求項２６】
可塑剤の添加を更に含み、当該可塑剤が、フタル酸エステル、クエン酸エステル及びトリアセチンからなる群より選ばれる、請求項１〜２５のいずれか１項記載の方法。
【請求項２７】
１以上のコーティングによる前記粉末のコーティングが、前記粉末をスプレイすることを含む、請求項１〜２６のいずれか１項記載の方法。
【請求項２８】
少なくとも１つの追加の成分を前記生物活性剤と組み合わせることを更に含む、請求項１〜２７のいずれか１項記載の方法。
【請求項２９】
前記少なくとも１つの追加の成分が、担体、希釈剤及び滑剤からなる群より選ばれる、請求項２８記載の方法。
【請求項３０】
前記少なくとも１つの追加の成分が、微結晶性セルロース、デンプン、ラクトース、タルク、マンニトール、ポリエチレングリコール、ポリビニルピロリドン、ヒドロキシプロピルメチルセルロース、エチルセルロース、脂肪酸、脂肪酸塩、グリセリルベヘネート、デキストロース及びリン酸二カルシウムからなる群より選ばれる、請求項２８記載の方法。
【請求項３１】
哺乳動物のテストステロンレベルを増加させるための、請求項１〜３０のいずれか１項記載の方法によって得られる製剤。
【請求項３２】
請求項１〜３０のいずれか１項記載の方法によって得られる製剤。
【請求項３３】
テストステロンを含む、請求項１〜３０のいずれか１項記載の方法によって得られる製剤。
【手続補正書】
【提出日】平成20年11月28日(2008.11.28)
【手続補正１】
【補正対象書類名】特許請求の範囲
【補正対象項目名】請求項１２
【補正方法】変更
【補正の内容】
【請求項１２】
高血糖症または糖尿病の予防または治療のための請求項１１記載の組成物。
【手続補正２】
【補正対象書類名】特許請求の範囲
【補正対象項目名】請求項１３
【補正方法】変更
【補正の内容】
【請求項１３】
前糖尿病高血糖症または耐糖能異常を示すヒトにおける糖尿病の予防のための請求項１１記載の組成物。
【手続補正３】
【補正対象書類名】特許請求の範囲
【補正対象項目名】請求項１４
【補正方法】変更
【補正の内容】
【請求項１４】
高コレステロール血症、高インスリン血症、高脂血症、アテローム性動脈硬化症または心筋虚血の予防または治療のための請求項１１記載の組成物。
【手続補正４】
【補正対象書類名】特許請求の範囲
【補正対象項目名】請求項１５
【補正方法】変更
【補正の内容】
【請求項１５】
心保護のための請求項１１記載の組成物。
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
活性成分として、２０−８５重量％のω−３−ポリ不飽和脂肪酸エステル（ここで、該ω−３−ポリ不飽和脂肪酸エステルは、２０−７０重量％の5,8,11,14,17−エイコサペンタエン酸エステルおよび4,7,10,13,16,19−ドコサヘキサエン酸エステルを含有する海水魚油濃縮物に由来する）、およびｌ−リジンまたはその塩を含み、１から１０重量％の亜鉛塩、および０．０５から０．３０重量％のセレン含有酵母、しかし、投与単位あたり７５μｇ以下のセレンまたはセレン化合物を含んでもよいことを特徴とする、抗ウイルス性および免疫刺激性の医薬組成物。
【請求項２】
含まれていてもよい亜鉛塩が、２から６重量％である、請求項１に記載の医薬組成物。
【請求項３】
上記「０．０５から０．３０重量％のセレン含有酵母、しかし、投与単位あたり７５μｇ以下のセレンまたはセレン化合物」が、「０．１から０．２重量％のセレン含有酵母、しかし、投与単位あたり７５μｇ以下のセレンまたはセレン化合物」である、請求項１または請求項２に記載の医薬組成物。
【請求項４】
活性成分として、３０から７０重量％のω−３−ポリ不飽和脂肪酸エステルを含む魚油濃縮物を含むことを特徴とする、請求項１−３のいずれかに記載の医薬組成物であって、２０から７０重量％の5,8,11,14,17−エイコサペンタエン酸、および２０から７０重量％の4,7,10,13,16,19−ドコサヘキサエン酸が存在する、医薬組成物。
【請求項５】
ω−３−ポリ不飽和脂肪酸エステルを含む魚油濃縮物の量が、４０から６０重量％である、請求項４に記載の医薬組成物。
【請求項６】
ω−３−ポリ不飽和脂肪酸エステルを含む魚油濃縮物の量が、５５から６０重量％である、請求項４または５に記載の医薬組成物。
【請求項７】
5,8,11,14,17−エイコサペンタエン酸の量が、２５から４５重量％である、請求項４−６のいずれかに記載の医薬組成物。
【請求項８】
5,8,11,14,17−エイコサペンタエン酸の量が、３０から４０重量％である、請求項４−７のいずれかに記載の医薬組成物。
【請求項９】
5,8,11,14,17−エイコサペンタエン酸の量が、３１から３５重量％である、請求項４−８のいずれかに記載の医薬組成物。
【請求項１０】
4,7,10,13,16,19−ドコサヘキサエン酸の量が、２５から４５重量％である、請求項４−９のいずれかに記載の医薬組成物。
【請求項１１】
4,7,10,13,16,19−ドコサヘキサエン酸の量が、３０から４０重量％である、請求項４−１０のいずれかに記載の医薬組成物。
【請求項１２】
4,7,10,13,16,19−ドコサヘキサエン酸の量が、３１から３５重量％である、請求項４−１１のいずれかに記載の医薬組成物。
【請求項１３】
１級、２級または３級アルコールでエステル化されたω−３−ポリ不飽和脂肪酸、およびｌ−リジン塩としてｌ−リジン塩酸塩、フマル酸塩、マレイン酸塩またはシュウ酸塩を含むことを特徴とする、請求項１−１２のいずれかに記載の医薬組成物。
【請求項１４】
１級、２級または３級アルコールでエステル化されたω−３−ポリ不飽和脂肪酸が、ω−３−ポリ不飽和脂肪酸エチルエステルまたはω−３−ポリ不飽和脂肪酸グリセロールエステルである、請求項１３に記載の医薬組成物。
【請求項１５】
ｌ−リジン塩が塩酸塩である、請求項１３または１４に記載の医薬組成物。
【請求項１６】
含まれていてもよい亜鉛塩として亜鉛グルコネートまたは亜鉛ラクテートを含むことを特徴とする、請求項１から１５のいずれかに記載の医薬組成物。
【請求項１７】
含まれていてもよいセレン化合物として、天然セレン化合物または天然酵母に組み込まれたセレン化合物を含むことを特徴とする、請求項１から１６のいずれかに記載の医薬組成物。
【請求項１８】
ウイルス感染の治療のための、請求項１−１７のいずれかに記載の医薬組成物。
【手続補正２】
【補正対象書類名】明細書
【補正対象項目名】００１２
【補正方法】変更
【補正の内容】
【００１２】
ω−３−ポリ不飽和脂肪酸エステルを含む魚油濃縮物の量は、好ましくは、３０から７０重量％、より好ましくは４０から６０重量％、最も好ましくは５５から６０重量％であり、ここで、特に、２０から７０重量％、好ましくは２５から４５重量％、より好ましくは３０から４０重量％、最も好ましくは３１から３５重量％の5,8,11,14,17-エイコサペンタエン酸および２０から７０重量％、好ましくは２５から４５重量％、より好ましくは３０から４０重量％、最も好ましくは３１から３５重量％の4,7,10,13,16,19-ドコサヘキサエン酸が提供される。
【手続補正３】
【補正対象書類名】明細書
【補正対象項目名】００３８
【補正方法】変更
【補正の内容】
【００３８】
本発明により特許請求される新規な医薬組成物の利益は、以下のように纏めることができる：
−従来技術と対照的に、本発明は、長期の保管で安定な医薬組成物を製造し、期間中のω−３−ポリ不飽和脂肪酸の酸化を有効に防止する利益を有する、
−本発明で特定される方法の適用は、他の、および／または新しい抗ウイルス剤を含む付加的な組み合わせの、簡単で経済的な製造を供給する、
−ω−３−ポリ不飽和脂肪酸のエステル類、およびそれらを含む組成物の毒性は、親であるω−３−ポリ不飽和脂肪酸類またはそれらを含む組成物の毒性よりも低いことが示された、
−本発明により製造される組み合わせは、さらに、同時により有効なウイルス複製の阻害を提供する、生物学的により万能で、より融通が利く抗ウイルス治療を可能にする、
−本発明に記載される方法は、ω−３−ポリ不飽和脂肪酸の塩基成分との塩の製造、そして記述した困難により被る費用に伴う技術的問題を排除する。
【手続補正４】
【補正対象書類名】明細書
【補正対象項目名】００４１
【補正方法】変更
【補正の内容】
【００４１】
実施例２
カプセル形態の製造
組成物が、３２．８重量％の5,8,11,14,17−エイコサペンタエン酸エチル（ＥＰＡエチルエステル）および２２．２重量％の4,7,10,13,16,19−ドコサヘキサエン酸エチルエステル（ＤＨＡエチルエステル）からなるω−３−ポリ不飽和脂肪酸エチルエステル（３６２ｇ）の混合物、および実施例１で特定される活性成分および添加剤を含むが、天然酵母（１ｇ）に組み込まれたセレンが補足されているという相違はあるが、全ての点において、実施例１で記載された方法に従う。
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
（ａ）哺乳類レプチンポリペプチド中の野生型ヒトレプチンの位置３９〜４２に相当する疎水性結合部位ＬＤＦＩ（ＳＥＱ  ＩＤ  ＮＯ：３３）の少なくとも２つ又は４つのアミノ酸残基が異なるアミノ酸残基で置換されることにより、当該部位がより低い疎水性となっており、当該改変された哺乳類レプチンポリペプチドがレプチン拮抗薬である、前記哺乳類レプチンポリペプチド；又は、
（ｂ）（ａ）当該改変された疎水性結合部位を含み、断片自身がレプチン拮抗薬である、前記改変された哺乳類レプチンポリペプチドの断片；
からなるレプチン拮抗薬。
【請求項２】
ＳＥＱ  ＩＤ  ＮＯ：３３のアミノ酸残基の少なくとも２つ又は４つが、アラニン、アルギニン、アスパラギン酸、グルタミン酸、グリシン、リシン及びセリンからなる群より選ばれる１つ以上のアミノ酸で置換されている、請求項１のレプチン拮抗薬。
【請求項３】
前記アミノ酸がアラニンである、請求項２のレプチン拮抗薬。
【請求項４】
ＳＥＱ  ＩＤ  ＮＯ：３３のアミノ酸残基の２つ又は４つがアラニンで置換されている、請求項１のレプチン拮抗薬。
【請求項５】
前記改変された哺乳類レプチンが改変されたヒトレプチンである、請求項４のレプチン拮抗薬。
【請求項６】
ＳＥＱ  ＩＤ  ＮＯ：１又はＳＥＱ  ＩＤ  ＮＯ：２のポリペプチドからなる、請求項５のレプチン拮抗薬。
【請求項７】
前記改変された哺乳類レプチンが改変されたヒツジレプチンである、請求項４のレプチン拮抗薬。
【請求項８】
ＳＥＱ  ＩＤ  ＮＯ：３又はＳＥＱ  ＩＤ  ＮＯ：４のポリペプチドからなる、請求項７のレプチン拮抗薬。
【請求項９】
前記位置３９〜４２のいずれかにおけるアミノ酸残基の３つがアラニンで置換されている、請求項１のレプチン拮抗薬。
【請求項１０】
前記改変された哺乳類レプチンが改変されたヒトレプチンである、請求項９のレプチン拮抗薬。
【請求項１１】
ＳＥＱ  ＩＤ  ＮＯ：５のポリペプチドからなる、請求項１０のレプチン拮抗薬。
【請求項１２】
前記改変された哺乳類レプチンが改変されたヒツジレプチンである、請求項９のレプチン拮抗薬。
【請求項１３】
ＳＥＱ  ＩＤ  ＮＯ：６のポリペプチドからなる、請求項１２のレプチン拮抗薬。
【請求項１４】
前記位置３９〜４２における４つのアミノ酸残基すべてがアラニンで置換されている、請求項１のレプチン拮抗薬。
【請求項１５】
ＳＥＱ  ＩＤ  ＮＯ：７又はＳＥＱ  ＩＤ  ＮＯ：８のポリペプチドからなる、請求項１４のレプチン拮抗薬。
【請求項１６】
請求項１のレプチン拮抗薬をコードしている単離されたＤＮＡ分子。
【請求項１７】
ＳＥＱ  ＩＤ  ＮＯ：９、１０、１１、１２、１３、１４、１５及び１６のＤＮＡ配列からなる群より選ばれる請求項１６のＤＮＡ分子。
【請求項１８】
（ｂ）の断片からなる請求項１のレプチン拮抗薬。
【請求項１９】
ペグ化された形態である請求項１のレプチン拮抗薬。
【請求項２０】
請求項１のレプチン拮抗薬及び薬学的に許容できる担体を含む医薬組成物。
【請求項２１】
レプチン拮抗薬がペグ化された形態である請求項２０の医薬組成物。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
顕著な親水性を与える被覆、例えば少なくとも部分的に結晶性のチタン酸化物、特にアナターゼ形態のもの、を含む薄膜（６）を、基板（１）の一つの面の少なくとも一部に、有するガラス又はセラミックに基づく基板（１）であって、
前記基板（１）がシリコーンタイプの成分を含むマスチック樹脂（３）を基板（１）の周辺の少なくとも一部に有し、さらに該シリコーンの移動に対するバリア（５、７、８）が薄膜（６）の表面（２）に置かれていることを特徴とする基板（１）。
【請求項２】
シリコーンの移動に対するバリア（５）が、シリコーン系可塑剤を全く含まないエラストマー系マスチック樹脂、に基づくことを特徴とする請求項１に記載の基板（１）。
【請求項３】
エラストマー系マスチック樹脂（５）が、シリルを末端基とするポリエーテルに基づくことを特徴とする請求項２に記載の基板（１）。
【請求項４】
バリア（５）として働くポリマーが、ビーズの形態で基板（１）の表面（２）に、シリコーンタイプの化合物を含むマスチック樹脂（３）と直接接触して、堆積されることを特徴とする請求項２又は３に記載の基板（１）。
【請求項５】
バリア（５）として働くポリマーが、ビーズの形態で基板（１）の表面（２）に、前記マスチック樹脂（３）の向かい側で且つ数ミリメートルの距離を隔てて、堆積されることを特徴とする請求項２又は３に記載の基板（１）。
【請求項６】
シリコーンの移動に対するバリア（８）が、基板（１）の表面（２）に置かれたノッチ（切り込み）又はグルーブ（溝）から形成され且つシリコーン（３）の源であるマスチック樹脂の向かい側にあることを特徴とする請求項１に記載の基板（１）。
【請求項７】
薄膜（６）が少なくとも部分的に結晶性のチタン酸化物を含むこと、及びシリコーンの移動に対するバリア（８）が、薄膜（６）の周辺の縁取り（７）から形成され、前記縁取りはマスチック樹脂（３）で被覆されていない縁取りした領域（７）が存在するようにされていること、を特徴とする請求項１に記載の基板（１）。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
容器（１０）に設けられた着座部（Ｓ）に着脱可能にプレス嵌めされ且つ保持される密閉部分（３２）と一体となる周囲区域（３１ａ）を有する閉鎖端部分（３１）を単一部片として備えるタイプの容器用蓋であって、
閉鎖端部分（３１）の周囲区域（３１ａ）の各拡張部に着座され且つ一体となった少なくとも１つの周縁部分（３３ａ）を有する取っ手（３３）と、閉鎖端部分（３１）に対して持ち上がった中央部分（３３ｂ）とをさらに備え、取っ手（３３）の周縁部分（３３ａ）と中央部分（３３ｂ）の隣接部とは、少なくとも１つの半径方向の切り抜き（３４）によって切り取られて、使用者の少なくとも１本の指の指趾末節を蓋（３０）の外側から内側に半径方向に挿入を可能にするとともに、使用者の手のひらおよび手首の少なくとも一方を、半径方向の開口部（３５）に対して直径方向に反対側の密閉部分（３２）の区域に載せるのを可能にするのに充分な寸法がある半径方向の開口部（３５）を画定し、それによって使用者の手がレバーを形成して、使用者が半径方向開口部（３５）に隣接する周囲区域（３１ａ）から徐々に蓋（３０）を開ける助けとなるようにすることを特徴とする、容器用蓋。
【請求項２】
軸線に対して直交する平面（Ｐ）に上方で含まれる蓋であって、取っ手（３３）が前記平面（Ｐ）に対して下方に配置されることを特徴とする、請求項１に記載の蓋。
【請求項３】
密閉部分（３２）が平面（Ｐ）に上方で含まれ、閉鎖端部分（３１）が密閉部分（３２）に対して低くされていることを特徴とする、請求項２に記載の蓋。
【請求項４】
取っ手（３３）が、周縁部（３３ａ）から上向きに湾曲した輪郭を有する壁部分によって画定されていることを特徴とする、請求項１に記載の蓋。
【請求項５】
取っ手（３３）が、少なくとも１つの半径方向の開口部（３５）が設けられた円錐台形状の壁によって画定されていることを特徴とする、請求項４に記載の蓋。
【請求項６】
密閉部分（３２）が円周受け台（３２ａ）によって画定され、外部周囲フランジ（３２ｂ）を有することを特徴とする、請求項１に記載の蓋。
【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
蓋（２０）が着座されるシート（Ｓ）を画定する開口部（１４）を有するタイプの缶用金属蓋にして、一体片で、自由上端縁部（２３）が設けられかつシート（Ｓ）の内部に摩擦によって着座されかつ軸方向に保持されるように設計された側壁（２２）を上方かつ周辺に有する底部壁（２１）を含む、金属蓋であって、底部壁（２１）は、側壁（２２）に隣接した周辺環状部（２１ａ）と、中央部（２１ｂ）と、断面が逆さ「Ｕ」字の形を有する環状リブ部（２５）とを含み、環状リブ部（２５）の側方の脚の自由縁部が、底部壁（２１）の周辺環状部（２１ａ）および中央部（２１ｂ）の隣接した縁部とそれぞれ一体となることを特徴とする、金属蓋。
【請求項２】
環状リブ部（２５）が、底部壁（２１）の周辺環状部（２１ａ）および中央部（２１ｂ）から上方に突出することを特徴とする、請求項１に記載の金属蓋。
【請求項３】
底部壁（２１）の中央部（２１ｂ）が、底部壁（２１）の周辺環状部（２１ａ）を含む平面に対してより高い平面に配置されることを特徴とする、請求項２に記載の金属蓋。
【請求項４】
環状リブ部（２５）が、蓋（２０）の側壁（２２）の自由上端縁部（２３）を含む平面（Ｐｓ）より下に配置されることを特徴とする、請求項２に記載の金属蓋。
【請求項５】
底部壁（２１）の周辺環状部（２１ａ）の半径方向幅が、蓋（２０）の側壁（２２）の高さにほぼ等しいことを特徴とする、請求項１に記載の金属蓋。
【請求項６】
開口部（１４）が、缶の上部壁（１３）において設けられ、かつシート（Ｓ）は、開口部（１４）の縁部と上方で一体となる垂下管状凸部（１５）によって画定され、前記垂下管状凸部（１５）は、開口部（１４）の内方に、次いで上方にかつ垂下管状凸部（１５）に対向して曲げられた下端部を設けられており、連続管状リブ（１６）を形成し、蓋（２０）の側壁（２２）は、内側において垂下管状凸部（１５）の連続管状リブ（１６）が密封状に嵌められかつ軸方向に保持された連続周辺凹部（２４）を設けられている、金属蓋であって、環状リブ部（２５）は、蓋（２０）の連続周辺凹部（２４）の領域において蓋（２０）の側壁（２２）と交差する平面（Ｐｍ）内に存在する上部縁（２５ａ）を有することを特徴とする、請求項２に記載の金属蓋。
【請求項７】
蓋（２０）が積み重ねられる際、１つの蓋（２０）の周辺環状部（２１ａ）の外側および内側の周辺縁部が、すぐ下に設けられた他の蓋（２０）の周辺凹部（２４）上と環状リブ部（２５）上とに各々着座されることを特徴とする、請求項６に記載の金属蓋。
【請求項８】
蓋（２０）の底部壁（２１）の周辺環状部（２１ａ）および中央部（２１ｂ）が平らであることを特徴とする、請求項１に記載の金属蓋。
【請求項９】
蓋（２０）の底部壁（２１）の中央部（２１ｂ）が、環状リブ部（２５）の隣接した側方の脚の自由な下部縁を含む平面（Ｐｉ）より僅かに下にある平面に存在し、前記中央部（２１ｂ）は、上方かつ外側に傾けられ、環状リブ部（２５）の前記自由な下部縁と一致する周縁環状領域（２ｌｃ）を提供することを特徴とする、請求項８に記載の金属蓋。
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
複数のケイ酸塩層を含む層状ケイ酸塩；および
ケイ酸塩層間に少なくとも約２０Åのケイ酸塩層間の平均層間間隔をもたらすのに有効な量で吸蔵されている少なくとも１種類の挿入剤、
を含む挿入層状ケイ酸塩であって、
ここで、少なくとも１種類の挿入剤は以下から選択される式を有する、
【化１】
2008521752.tif 000001
2008521752.tif 000002
［式中：
Ｒ４は、
１）少なくとも８個の炭素原子を有するアシル基；
２）少なくとも８個の炭素原子を有するアルキル基；
３）少なくとも８個の炭素原子を有するアルケニル基；
４）少なくとも８個の炭素原子を有するアルカジエニル基；および
５）少なくとも８個の炭素原子を有する炭素鎖基、
のいずれかを表し、前記炭素鎖基はヒドロキシル、カルボキシル、エポキシ、イソシアネート、アリールおよびアリールメチルから選択される１つ以上のペンダントまたは末端基を組み込み、前記アリールメチル基は式：
【化２】
2008521752.tif 000003
を有し、式中、「Ａｒ」はアリール基を表し、並びにＲ６およびＲ７は、独立に、水素、アシル基、アルキル基またはアルケニル基を表し；
Ｒ５はＨ、−ＣＨ３、−ＣＨ２ＣＨ３またはＲ４によって表される基のいずれかを表し；
Ｒ８は、
【化３】
2008521752.tif 000004
2008521752.tif 000005
から選択される式を有するオキシル化基を表し、式中、「ｎ」は２〜１２の範囲をとり、「ｘ」は４〜１４の範囲をとり、および「ｙ」は０〜３の範囲をとり；並びに
Ｒ１、Ｒ２およびＲ３は、Ｒ１、Ｒ２、およびＲ３の少なくとも１つがＨであるという条件で、各々独立に、Ｈ、−ＣＨ３、−ＣＨ２ＣＨ３、
【化４】
2008521752.tif 000006
またはＲ４およびＲ８によって表される基のいずれかを表す］、前記挿入層状ケイ酸塩。
【請求項２】
少なくとも１種類の挿入剤が式Ｉを有する、請求項１に記載の挿入層状ケイ酸塩。
【請求項３】
少なくとも１種類の挿入剤が式ＩＩを有する、請求項１に記載の挿入層状ケイ酸塩。
【請求項４】
少なくとも１種類の挿入剤が式ＩＩＩを有する、請求項１に記載の挿入層状ケイ酸塩。
【請求項５】
少なくとも１種類の挿入剤が式Ｖを有する、請求項１に記載の挿入層状ケイ酸塩。
【請求項６】
少なくとも１種類の挿入剤が式ＶＩを有する、請求項１に記載の挿入層状ケイ酸塩。
【請求項７】
Ｒ４がアシル基である、請求項１に記載の挿入層状ケイ酸塩。
【請求項８】
Ｒ４がアルキル基である、請求項１に記載の挿入層状ケイ酸塩。
【請求項９】
Ｒ１、Ｒ２およびＲ３の各々が水素である、請求項１に記載の挿入層状ケイ酸塩。
【請求項１０】
Ｒ１、Ｒ２およびＲ３のうちの２つのみが水素である、請求項１に記載の挿入層状ケイ酸塩。
【請求項１１】
Ｒ１、Ｒ２およびＲ３のうちの１つのみが水素である、請求項１に記載の挿入層状ケイ酸塩。
【請求項１２】
少なくとも１種類の挿入剤がペンタエリスリトールのエステルを含む、請求項７〜１１のいずれかに記載の挿入層状ケイ酸塩。
【請求項１３】
挿入剤がクエン酸のエステルを含む、請求項１に記載の挿入層状ケイ酸塩。
【請求項１４】
アンモニウム化合物を含む挿入剤を本質的に含有しない、請求項１〜１３のいずれかに記載の挿入層状ケイ酸塩。
【請求項１５】
ケイ酸塩層間に吸蔵される第１および第２挿入剤を、少なくとも約２０Åのケイ酸塩層間の平均層間間隔をもたらすのに有効な量で含み、
第１および第２挿入剤は互いに異なり；並びに
第１および第２挿入剤は、各々独立に、式Ｉ、式ＩＩ、式ＩＩＩ、式Ｖまたは式ＶＩから選択される式によって表される、
請求項１に記載の挿入層状ケイ酸塩。
【請求項１６】
第２挿入剤の第１挿入剤に対する重量比が少なくとも約１：２０である、請求項１５に記載の挿入層状ケイ酸塩。
【請求項１７】
ケイ酸塩層間に吸蔵される第１および第２挿入剤を、少なくとも約２０Åのケイ酸塩層間の平均層間間隔をもたらすのに有効な量で含み、
第１および第２挿入剤は互いに異なり；並びに
第１および第２挿入剤は、各々独立に、式Ｉによって表される、
請求項１に記載の挿入層状ケイ酸塩。
【請求項１８】
約０．１〜約１００重量部の請求項１〜１７のいずれかに記載の挿入層状ケイ酸塩を１００重量部のマトリックス媒体と混合して混合物を形成すること；並びに
前記混合物に、１００重量部のマトリックス媒体あたり少なくとも約０．１重量部の剥離粒子を含む分散粒子組成物を形成するのに十分なエネルギーを加えること、
を含む、層状ケイ酸塩を剥離させる方法。
【請求項１９】
マトリックス媒体がポリオレフィン、エチレン／ビニルアルコールコポリマー、イオノマー、ビニルプラスチック、ポリアミド、ポリエステルまたはポリスチレンから選択される１種類以上のポリマーを含む、請求項１９に記載の方法。
【請求項２０】
マトリックス媒体が１種類以上のエネルギー硬化性ポリマー前駆体を含む、請求項１８に記載の方法。
【請求項２１】
約１〜約１０重量部の請求項１に記載の挿入層状ケイ酸塩を１００重量部のマトリックス媒体と混合することを含む、請求項１〜１７のいずれかに記載の方法。
【請求項２２】
少なくとも約５０重量％のマトリックス媒体；および
少なくとも約０．１〜多くとも約５０重量％の、マトリックス媒体中に分散している粒子、
を含む分散粒子組成物であって、
前記粒子は最短寸法に多くとも約１００ｎｍの平均サイズを有し、
前記粒子は、
ケイ酸塩小板、および
ケイ酸塩小板に吸蔵される挿入剤
を含み、
前記挿入剤は請求項１に記載の式Ｉ、式ＩＩ、式ＩＩＩ、式Ｖまたは式ＶＩから選択される式を有する、
前記分散粒子組成物。
【請求項２３】
請求項２２に記載の分散粒子組成物を含む包装；および
前記包装内に封入されている食品、
を含む包装済み食品。
【請求項２４】
マトリックス媒体が１種類以上のポリマーを含み、前記１種類以上のポリマーは熱可塑性である、請求項２２に記載の分散粒子組成物を含む包装用フィルム。
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
水溶性の再構成溶媒の追加による本質的に透明で安定な溶液への再構成に適した固体生成物であって：
前記固体生成物が、少なくとも一つの安定化物質、及び、少なくとも一つの液体生物活性物質の完全な混合物を含み；
前記液体生物活性物質が、実質的に固体の生成物内の前記安定化物質と完全に結び付けられた方式で前記安定化物質内に充填され；
その結果、再構成水溶性溶媒、又は、溶液との水和反応により、前記固体生成物が、前記の本質的に透明で安定な溶液を形成し；
この溶液中で、前記の少なくとも一つの生物活性物質が、前記の少なくとも一つの生物活性物質を充填された安定なナノ分散、又は、ミセルとして存在する、固体生成物。
【請求項２】
前記安定化物質が、分散剤を含む請求項１に記載の固体生成物。
【請求項３】
前記分散剤が、両親媒性の共重合体である請求項２に記載の固体生成物。
【請求項４】
前記両親媒性の重合体が、ポリ(エチレンオキシド)、ポリ(N-ビニルピロリドン)、ポリ(N-2-ヒドロキシプロピルメタクリルアミド)、ポリ(2-エチル-2-オキサゾリン)、ポリ(グリシドール)、ポリ(2-ヒドロキシエチルメタクリラート)、ポリ(ビニルアルコール)、ポリメタクリル酸誘導体、ポリ(ビニルピリジニウム)、ポリ((アンモニウムアルキル)メタクリラート)、ポリ((アミノアルキル)メタクリラート)、並びに、その組み合わせ、及び、誘導体からなる群より選択された少なくとも一つのメンバーを含む親水性部分、並びに、ポリ(エステル)、ポリ(オルトエステル)、ポリ(アミド)、ポリ(エステルアミド)、ポリ(無水物)、ポリ(プロフィレンオキシド)、ポリ(テトラヒドロフラン)、及び、その組み合わせからなる群より選択された疎水性部分を含む請求項３に記載の固体生成物。
【請求項５】
水溶性の溶液の追加による透明で安定な溶液への再構成に適した固体生成物の製造方法であって：
ミセル、又は、ナノ分散形態を得るための条件下で、少なくとも一つの安定化物質、及び、少なくとも一つの溶媒の溶液を含む一番目の混合物を形成し；
少なくとも一つの液体生物活性物質を前記ミセル、又は、ナノ分散に充填する方式で、前記一番目の混合物へ追加して二番目の混合物を形成し；
前記二番目の混合物を、完全に前記安定化物質と結び付けられた前記液体生物活性物質を含む実質的に固体の生成物を形成する間に、前記溶媒をそこから除去するために効果的な条件下で処理することを含み；
前記固体生成物が、水和反応で、前記少なくとも一つの生物活性物質が、前記少なくとも一つの生物活性物質を充填されたナノ分散、又は、ミセルとして存在する、透明で安定な溶液を形成する能力を有する製造方法。
【請求項６】
前記の水不溶解性の液体生物活性物質が、プロポフォール、2-フェノシエタノール、キナルジン、及び、メトキシフルラン、及び、その組み合わせからなる群より選択された請求項５に記載の製造方法。
【請求項７】
医薬組成物を製造するための、水和溶媒及び請求項１で定義された固体生成物を含む、安定なナノ分散又はミセルからなる透明な液体の使用。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
トリートメント剤としてポリシロキサンを含み、ユーザの肌に取外し可能に付着されるパッチを備えたトリートメント製品。
【請求項２】
前記製品は肌の状態のトリートメントに使用されるパッチを備え、前記パッチは肌の状態のためのトリートメント剤としてポリシロキサンを含む請求項１に記載のトリートメント製品。
【請求項３】
前記パッチは、皺または小皺のうちの少なくとも一つ、瘢痕、にきび、咬傷、皮膚アレルギー、および日焼けのうちの１または複数をトリートメントするためのものである請求項１または２に記載のトリートメント製品。
【請求項４】
前記パッチは皺または小皺のうちの少なくとも一つをトリートメントするためのものである請求項１〜３のいずれかに記載のトリートメント製品。
【請求項５】
前記パッチはトリートメント剤およびユーザの肌にパッチを付着させるための接着剤の両方としてポリシロキサンを含む請求項１〜４のいずれかに記載のトリートメント製品。
【請求項６】
前記パッチはポリシロキサン以外のトリートメント剤を使用していない請求項１〜５のいずれかに記載のトリートメント製品。
【請求項７】
前記パッチは、杏仁、アボカド、キンセンカ、ニンジン、月見草、ブドウ種子、マカダミアナッツ、オリーブ、桃仁、ローズヒップ、ごま、スイートアーモンド、ヒマワリ、小麦胚芽、ホホバ、バジル、ベンゾイン、ベルガモット、黒コショウ、カユプテ、シーダー材、カモミール、クラリーセージ、ユーカリ、フェンネル（茴香）、フランクインセンス（乳香）、ゼラニウム、ショウガ、グレープフルーツ、ジャスミンアブソリュート、ジュニパーベリー、ラベンダー、レモン、レモングラス、マンダリン、メリッサ、ミルラ（没薬）、ネロリ（橙花油）、ニアウリ、オレンジ（スイート）、パルマローザ、パチョリ、ペパーミント、プチグレン、バラ、ローズマリー、ローズウッド（紫壇）、サンダルウッド（白檀）、ティーツリー、キュウリ、ビタミンＣ、ビタミンＥ、チアミン、亜鉛、セレン、コンフリー、ニワトコの花、ウスベニタチアオイ、オレンジの花、スミレ、ルリヂサ
、アロエベラ、蜂蜜、ペパーミント（オイル）、ノコギリソウ、マリーゴールド（キンセンカ属の種類）、アーモンド、アルガン、タイム、ベティバー、マンサクおよびイランイランから選択されたエキスおよび／またはオイルを含む１または複数のさらなるトリートメント剤を含む前記請求項１〜５のいずれかに記載のトリートメント製品。
【請求項８】
前記パッチはポリシロキサンシートを備える請求項１〜７のいずれかに記載のトリートメント製品。
【請求項９】
前記ポリシロキサンはゲルまたはオイルを含む請求項１〜８のいずれかに記載のトリートメント製品。
【請求項１０】
前記パッチはポリシロキサンゲルとオイルの組み合わせ、ポリジオルガノシロキサン、または複数のポリシロキサンの組み合わせを含む請求項１〜８のいずれかに記載のトリートメント製品。
【請求項１１】
前記パッチはポリシリコーンポリシリコーン−１、ポリシリコーン−２、およびジメチコーンのうちの１または複数を含む請求項１〜８のいずれかに記載のトリートメント製品。
【請求項１２】
前記パッチはポリジメチルシロキサン（ジメチコーン）、ポリジメチルビニルシロキサン、およびポリジメチル水素シロキサンのうちの少なくとも一つを含む請求項１〜８のいずれかに記載のトリートメント製品。
【請求項１３】
前記パッチはポリシロキサンを担持する支持部材を備える請求項１〜１２のいずれかに記載のトリートメント製品。
【請求項１４】
前記トリートメント製品はパッチを担持する裏当て部材を備える請求項１〜１３のいずれかに記載のトリートメント製品。
【請求項１５】
前記パッチはほぼ三日月形である請求項１〜１４のいずれかに記載のトリートメント製品。
【請求項１６】
前記トリートメント製品は使用前に１または複数のパッチを中に入れる容器を備える請求項１〜１５のいずれかに記載のトリートメント製品。
【請求項１７】
肌の状態のトリートメントに使用されるトリートメント製品であって、
ポリジメチルシロキサン（ジメチコーン）、ポリシリコーン−１、およびポリシリコーン−２のうちの少なくとも一つを含むトリートメント製品。
【請求項１８】
肌の状態のトリートメントに使用されるトリートメント製品であって、
ポリジメチルシロキサン、ポリジメチルビニルシロキサン、およびポリジメチル水素シロキサンのうちの少なくとも一つを含むトリートメント製品。
【請求項１９】
ポリジメチルシロキサン、ポリジメチルビニルシロキサンおよびポリジメチル水素シロキサンを含む請求項１８に記載のいずれかに記載のトリートメント製品。
【請求項２０】
肌の状態をトリートメントする医薬品または化粧品を製造するためのポリシロキサンの使用方法。
【請求項２１】
肌の状態は皺または小皺のうちの少なくとも一つを含む請求項２０に記載の方法。
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
ｐ７５Ｒと比べてｐ５５Ｒを介するＴＮＦαシグナル伝達を選択的に抑制することを特徴とする抗ＴＮＦα抗体。
【請求項２】
ｐ５５Ｒを介するＴＮＦαシグナル伝達を実質的に抑制する、請求項１に記載の抗ＴＮＦα抗体。
【請求項３】
ｐ５５Ｒを介するＴＮＦαシグナル伝達を４５％よりも大きく減少させる、請求項２に記載の抗ＴＮＦα抗体。
【請求項４】
ｐ７５Ｒを介するＴＮＦαシグナル伝達を４０％以下減少させる、請求項３に記載の抗ＴＮＦα抗体。
【請求項５】
抗体或いはその機能的に活性なフラグメント又は誘導体である、請求項１から４までのいずれか一項に記載の抗体。
【請求項６】
抗体又はそのフラグメントがＣＤＲ移植抗体である、請求項５に記載の抗体。
【請求項７】
抗体フラグメントが、Ｆａｂ、Ｆａｂ’、Ｆ（ａｂ’）２、ｓｃＦｖ又はそのエピトープ結合フラグメントである、請求項５又は請求項６に記載の抗体。
【請求項８】
抗体又はそのフラグメントが、１つ又は複数のエフェクター分子にコンジュゲートされている、請求項１から７までのいずれか一項に記載の抗体。
【請求項９】
自己免疫疾患又は炎症性疾患の治療用の医薬品を製造するための、請求項１から８までのいずれか一項に記載の抗体の使用。
【請求項１０】
対象の自己免疫疾患又は炎症性疾患を治療及び／又は予防するための、請求項１から９までのいずれか一項に記載の抗体を含む医薬組成物。
【請求項１１】
請求項１から９までのいずれか一項に記載の抗ＴＮＦα抗体及び薬学的に許容し得る担体を含む医薬組成物。
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
肝臓の代償不全または肝性脳症を予防または治療するための、フェニルアセテートおよびフェニルブチレートの少なくとも１つと組み合わせて使用する薬剤であって、オルニチンを含む前記薬剤。
【請求項２】
肝臓の代償不全または肝性脳症を予防または治療するための、オルニチンと組み合わせて使用する薬剤であって、フェニルアセテートおよびフェニルブチレートの少なくとも一つを含む前記薬剤。
【請求項３】
肝臓の代償不全または肝性脳症を予防または治療するための薬剤であって、オルニチンならびにフェニルアセテートおよびフェニルブチレートの少なくとも一つを含む前記薬剤。
【請求項４】
前記肝臓の代償不全が慢性肝臓病に罹患している患者におけるものである、先行請求項のいずれか一項に記載の薬剤。
【請求項５】
前記予防または治療が肝臓の代償不全の発症を遅延させることを含む、先行請求項のいずれか一項に記載の薬剤。
【請求項６】
患者が誘発事象を経験したかまたは経験したと疑われる、先行請求項のいずれか一項に記載の薬剤。
【請求項７】
前記誘発事象が、消化管の出血、感染症、門脈血栓症または脱水症である、請求項６に記載の薬剤。
【請求項８】
前記誘発事象または擬似的な誘発事象の症状が検出されてから６時間以内に薬剤が投与される、請求項６または７に記載の薬剤。
【請求項９】
肝性脳症を慢性肝臓病または急性肝不全に罹患している患者において治療する、先行請求項のいずれか一項に記載の薬剤。
【請求項１０】
前記オルニチンが、遊離のモノマーアミノ酸または生理学的に許容され得る塩として存在する、先行請求項のいずれか一項に記載の薬剤。
【請求項１１】
フェニルアセテートおよびフェニルブチレートの少なくとも一つが、ソディウムフェニルアセテートまたはソディウムフェニルブチレートとして存在する、先行請求項のいずれか一項に記載の薬剤。
【請求項１２】
前記薬剤がイソロイシンをさらに含む、先行請求項のいずれか一項に記載の薬剤。
【請求項１３】
前記イソロイシンが、遊離のモノマーアミノ酸または生理学的に許容され得る塩として存在する、請求項１２に記載の薬剤。
【請求項１４】
前記薬剤がその他のアミノ酸を実質的に含まない、先行請求項のいずれか一項に記載の薬剤。
【請求項１５】
静脈内投与、腹腔内投与、胃内投与、血管内投与または経口投与用に薬剤を処方する、先行請求項のいずれか一項に記載の薬剤。
【請求項１６】
肝臓の代償不全または肝性脳症を予防または治療するために、同時使用、分離使用または連続使用を行うための併用製剤として、オルニチンならびにフェニルアセテートおよびフェニルブチレートの少なくとも一つを含む薬剤。
【請求項１７】
イソロイシンをさらに含む、請求項１６に記載の薬剤。
【請求項１８】
その他のアミノ酸を実質的に含まない、請求項１６または１７に記載の薬剤。
【請求項１９】
オルニチンならびにフェニルアセテートおよびフェニルブチレートの少なくとも一つを含む医薬組成物。
【請求項２０】
イソロイシンをさらに含む、請求項１９に記載の医薬組成物。
【請求項２１】
その他のアミノ酸を実質的に含まない、請求項１９または２０に記載の医薬組成物。
【請求項２２】
肝臓の代償不全または肝性脳症を予防または治療する方法において用いるための、請求項１９〜２１のいずれか一項に記載の医薬組成物。
【請求項２３】
患者が、消化管の出血に起因し得るイソロイシン欠乏症を有する、請求項１２または１３に記載の薬剤。
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
ＩＳＯ９２７７ＢＥＴ法による窒素吸収量で測定した見かけ比表面積が1〜299 m2/gで且つＩＳＯ７８７−５に従って測定した亜麻油の吸収量が100gの粉末当り45g〜160gである多孔質粉末を含むことを特徴とする水／油エマルション。
【請求項２】
亜麻油の吸収量が100gの粉末当り50g〜150gである請求項1に記載のエマルション。
【請求項３】
見かけの比表面積が0.5〜150 m2/gである請求項１または２に記載のエマルション。
【請求項４】
見かけの比表面積が0.5〜150 m2/g、好ましくは0.5〜50 m2/g、さらに好ましくは0.5〜40 m2/gである請求項１〜３のいずれか一項に記載のエマルジョン。
【請求項５】
粉末粒子の平均粒径が2μm〜100μm、好ましくは２〜50μm、さらに好ましくは２〜20μmである請求項１〜４のいずれか一項に記載のエマルジョン。
【請求項６】
粉末粒子が球形をしている請求項１〜５のいずれか一項に記載のエマルジョン。
【請求項７】
粉末がポリアミド、ポリ（メチル）メタアクリレート、ポリエステルアミド、ポリウレタン、アクリルポリマー、ポリエステル、シリコーン、ポリエチレンおよびシリカの粉末の中から選択される請求項１〜６のいずれか一項に記載のエマルション。
【請求項８】
ポリアミドがＰＡ6、ＰＡ6-6、ＰＡ11およびＰＡ12の中から選択される請求項７に記載のエマルション。
【請求項９】
下記重量組成を有する請求項１〜８のいずれか一項に記載のエマルション（合計100重量％）：
（１）10〜75％、好ましくは30〜65％の水相、
（２）0.1〜30％、好ましくは1〜20％の多孔質粉末
（３）89.9〜24.9％の脂肪相。
【請求項１０】
上記脂肪相が少なくとも25重量％（組成物全体に対する比率）の揮発性油を含む請求項９に記載のエマルション。
【請求項１１】
上記揮発性油がシリコーン油である請求項１０に記載のエマルション。
【請求項１２】
上記水相が10〜60％のポリオールを含む請求項９〜１１のいずれか一項に記載のエマルション。
【請求項１３】
酸化防止剤、香料、防腐剤、中和剤、界面活性剤、成膜ポリマー、濃化剤、紫外線防止剤、ビタミン剤、着色料、エマルション安定剤、水和剤、オートブロンサント(auto-bronsants)、しわ防止剤（antirides）およびこれらの混合物の中から選択される化粧成分をさらに含む請求項１〜１２のいずれか一項に記載のエマルション。
【請求項１４】
美顔用クリームまたは溶液、保水用および／または痩身用ボデークリームまたは溶液、耐水性または非耐水性のサンオイル(creme solaire)、ファンデーション、まぶた用化粧品(fard a paupieres)、頬用化粧品(fard a joue)、染み防止剤（anti-cernes）、メイキャップ剤(produit de maquillage)である請求項１〜１３のいずれか一項に記載のエマルション。
【請求項１５】
べた付きおよび／またはギラ付きの無いオイルレス化粧品および／またはスキンケア用品の製造での請求項１〜１４のいずれか一項に記載のエマルションの使用。
【請求項１６】
請求項１〜１５のいずれか一項に記載のエマルションをケラチン物質（matieres keratiniques）上に塗布することからなる、ケラチン物質の化粧および／またはケアのための化粧方法。
【請求項１７】
ＩＳＯ９２７７ＢＥＴ法による窒素吸収量に従って測定した見かけ比表面積が1〜299 m2/gでかつＩＳＯ７８７−５に従って測定した亜麻油の吸収量が100gの粉末当り45g〜160gである多孔質微粉末の、化粧用水／油エマルションの触覚および／または外見の改善での使用。
【請求項１８】
ＩＳＯ９２７７ＢＥＴ法による窒素吸収量に従って測定した見かけ比表面積が0.5〜150 m2/gである請求項１７に記載の使用。
【請求項１９】
粉末粒子の平均直径が５μm〜20μmである請求項１７または１８に記載の使用。
【請求項２０】
粉末が球形をしている請求項１７〜１９のいずれか一項に記載の使用。